(57)【要約】【課題】簡単な構成で、従来よりも音圧周波数特性が改善され、しかも組立時の作業性も改善されるスピーカシステムを提供する。【解決手段】スピーカユニットＵのフレーム１外周縁部後面に、バッフル板７ａに向かって後方に延びる突起８を配した構成とする。このような突起８がバッフル板７ａの前面に当接することにより、フレーム１外周縁部がバッフル板７ａに対して若干浮き上がった状態となり、この部分にスピーカエンクロージャ７の内外を連通させる所定の通気路が形成される。これにより、振動板２が前後の駆動を行ってもスピーカエンクロージャ７内の圧力が上昇することが無くなるので、低域特性が劣化することが防止される。【選択図】　　　図１
2004023377.tif 000002
【特許請求の範囲】
【請求項１】
スピーカエンクロージャと、該スピーカエンクロージャ前面部に備えたバッフル板とを有し、該バッフル板にスピーカユニットを設けたスピーカシステムにおいて、
前記スピーカユニットのフレーム外周縁部後面に、前記バッフル板前面に当接する突起を配したことを特徴とするスピーカシステム。
【請求項２】
前記突起は階段状であることを特徴とする請求項１に記載のスピーカシステム。
【請求項３】
スピーカエンクロージャと、該スピーカエンクロージャ前面部に備えたバッフル板とを有し、該バッフル板にスピーカユニットを設けたスピーカシステムにおいて、
前記バッフル板前面に、前記スピーカユニットのフレーム外周縁部後面に当接する突起を配したことを特徴とするスピーカシステム。
【請求項４】
前記突起は階段状であることを特徴とする請求項３に記載のスピーカシステム。
【発明の詳細な説明】
【０００１】
【発明の属する技術分野】
本発明は、電気信号を音響信号に変換する電気音響変換器のうち、特に、スピーカユニットとスピーカエンクロージャとを含んで構成されるスピーカシステムに関するものである。
【０００２】
【従来の技術】
従来より、スピーカエンクロージャにスピーカユニットを組み込んだスピーカシステムが使用されている。図１１は、このような従来のスピーカシステムの概略構成を示す断面図である。ここでは箱状のスピーカエンクロージャに、磁気回路を有する口径１０ｃｍのスピーカユニットを組み込んだ一例を示している。同図において、７は箱状のスピーカエンクロージャであり、この前面部を形成するバッフル板７ａには、スピーカユニットＵが取り付けられている。
【０００３】
具体的には、バッフル板７ａに、スピーカユニットＵの外径よりも小さい開口孔７ａａが開けられており、これにスピーカユニットＵが前方より挿入され、図示しないネジ止め等の方法で固定されている。また、同図のスピーカユニットＵにおいて、１は外周部に配置されたフレーム、３はフレーム１外周縁部前面に設けられたリング状のエッジ、２はエッジ３内周部より後方に延びて円錐状に縮径する振動板、４は振動板２の後端より円筒状に延びるボイスコイルである。ボイスコイル４は、その前端で薄いリング状のダンパーｄを介してフレーム１に支持されている。
【０００４】
一方、フレーム１の後部には、磁気回路部５が設けられている。磁気回路部５は、円板状のヨーク５ａの前面中心より円柱状のセンターポール５ｃが前方に延びており、センターポール５ｃの周囲にはドーナツ状のマグネット５ｂが設けられている。そして、マグネット５ｂをヨーク５ａと薄いリング状のヨーク５ｄとで挟み込み、磁気回路を構成している。さらに、センターポール５ｃとヨーク５ｄとの間には、磁気空隙Ｇが形成されている。
【０００５】
ここで、磁気空隙Ｇにはボイスコイル４が遊嵌されており、また、スピーカエンクロージャ７の後面部には入力端子６が設けられている。そして、入力端子６に印加された電気信号は、リード線６ａにより中継され、ボイスコイル４を流れる。このとき、磁気空隙Ｇにおける磁界とボイスコイル４を流れる電気信号とが、相互作用によりフレミングの左手の法則に基づいて振動板２を前後に駆動する。このような仕組みで、スピーカにおいては、電気信号を音響信号に変換することができる。
【０００６】
ところが、上述したような従来の構成では、スピーカエンクロージャの容積が小さい場合、スピーカユニットにおける振動板の前後の駆動によって、スピーカエンクロージャ内の圧力が高まり、コンプライアンスが低くなる。その結果、音圧周波数特性における、低周波数域の音圧レベルの減衰が顕著になるという問題がある。
【０００７】
そこで、このような問題を解決する手段の一つとして、スピーカユニットとスピーカエンクロージャとの間に、複数のスペーサを挟み込んで隙間を作り、これによりスピーカエンクロージャ内の圧力上昇を防止するといった方法が採られている。こうすることにより、振動板が動いたときに、スペーサによってできた隙間から空気が通り抜けることができるので、スピーカエンクロージャ内の空気が圧縮されずに済み、低域の特性が改善されることとなる。
【０００８】
図１２は、上記従来のスピーカシステムの音圧周波数特性を示すグラフである。ここでは横軸に音声周波数（Ｈｚ）、縦軸に音圧レベル（ｄＢ）をそれぞれ取っている。同図において、実線で示した曲線ａは改善前の特性、破線で示した曲線ｂは改善後の特性をそれぞれ示している。上記スペーサによる対策を施せば、同図に示すように、低周波数域の音圧レベルが減衰せず、特性が改善されることが分かる。
【０００９】
【発明が解決しようとする課題】
しかしながら、上述したような、複数のスペーサをスピーカユニットとスピーカエンクロージャとの間に設置するといった方法では、スピーカシステム組立時の作業が大変複雑になるという不具合点があり、本質的な解決に至っていないのが実状である。
【００１０】
本発明は、このような問題点に鑑み、簡単な構成で、従来よりも音圧周波数特性が改善され、しかも組立時の作業性も改善されるスピーカシステムを提供することを目的とする。
【００１１】
【課題を解決するための手段】
上記目的を達成するために、本発明では、スピーカユニットのフレーム外周縁部後面に、バッフル板前面に当接する突起を配した構成、或いはバッフル板前面に、スピーカユニットのフレーム外周縁部後面に当接する突起を配した構成としている。これにより、スピーカユニットのフレーム部分にスピーカエンクロージャの内外を連通させる所定の通気路が容易に形成される。そして、小容積のエンクロージャに伴う低域特性の劣化を補うことができる。
【００１２】
また、その突起の形状を階段状にしておき、さらには相手方にミゾ或いはスリットを設けて、これに突起の各段がはまり込む構造としておけば、スピーカフレームとバッフル板の隙間の調整は、スピーカユニットを少し回転するだけで可能となる。つまり、スピーカユニットをバッフル板から取り外して厚みの異なるスペーサを取り替えるといった複雑な作業を行うことなく、隙間を簡便に調整することができる。
【００１３】
【発明の実施の形態】
以下、本発明の実施の形態について、図面を参照しながら説明する。ここでは前記従来例と共通する部分には同一の符号を付して、詳細な説明を適宜省略する。図１は、本発明の第１の実施形態に係るスピーカシステムの概略構成を示す図である。同図（ａ）は全体断面図、同図（ｂ）はＡ部拡大図となっている。本実施形態では、同図に示すように、スピーカユニットＵのフレーム１外周縁部後面に、バッフル板７ａに向かって後方に延びる突起８を配した構成としている。なお、突起８を複数設ける場合は、スピーカユニットＵの中心から見て等角度間隔に配置されていることが望ましい。
【００１４】
このような突起８がバッフル板７ａの前面即ちバッフル面に当接することにより、フレーム１外周縁部がバッフル板７ａに対して若干浮き上がった状態となり、この部分にスピーカエンクロージャ７の内外を連通させる所定の通気路が形成される。これにより、振動板２が前後の駆動を行ってもスピーカエンクロージャ７内の圧力が上昇することが無くなるので、低域特性が劣化することが防止される。しかも、スピーカユニットＵのバッフル板７ａへの取り付けは、簡単且つ確実に行うことができる。
【００１５】
図２は、本実施形態のスピーカシステムの音圧周波数特性を示すグラフである。ここでは横軸に音声周波数（Ｈｚ）、縦軸に音圧レベル（ｄＢ）をそれぞれ取っている。同図において、実線で示した曲線ａは改善前の特性、破線で示した曲線ｂは改善後の特性をそれぞれ示している。突起８を設けることにより、同図に示すように、低周波数域の音圧レベルが減衰せず、特性が改善されることが分かる。
【００１６】
図３は、本発明の第２の実施形態に係るスピーカシステムの概略構成を示す図である。同図（ａ）は全体断面図、同図（ｂ）はＢ部拡大図となっている。本実施形態では、同図に示すように、スピーカユニットＵのフレーム１外周縁部後面に、バッフル板７ａに向かって後方に延びる突起９を配した構成としている。なお、突起９を複数設ける場合は、スピーカユニットＵの中心から見て等角度間隔に配置されていることが望ましい。
【００１７】
このような突起９がバッフル板７ａの前面即ちバッフル面に当接することにより、フレーム１外周縁部がバッフル板７ａに対して若干浮き上がった状態となり、この部分にスピーカエンクロージャ７の内外を連通させる所定の通気路が形成される。これにより、振動板２が前後の駆動を行ってもスピーカエンクロージャ７内の圧力が上昇することが無くなるので、低域特性が劣化することが防止される。しかも、スピーカユニットＵのバッフル板７ａへの取り付けは、簡単且つ確実に行うことができる。
【００１８】
図４は、突起９の詳細な形状を示す図であり、同図（ａ）は平面断面図、同図（ｂ）は背面図である。同図に示すように、突起９はフレーム１の周方向に段差を有する階段状となっている。そして、相手方であるバッフル板７ａには、図示しないミゾが設けてあり、スピーカユニットＵを中心周りに微少に回転させる毎に、突起９の各段がそのミゾにはまり込む構造となっている。これにより、スピーカユニットＵとバッフル板７ａとの隙間の大きさを簡単且つ確実に調整することができるので、スピーカシステムの音響特性の調整も簡単に行うことができる。
【００１９】
図５は、本実施形態のスピーカシステムの音圧周波数特性を示すグラフである。ここでは横軸に音声周波数（Ｈｚ）、縦軸に音圧レベル（ｄＢ）をそれぞれ取っている。同図において、実線で示した曲線ａは改善前の特性、破線で示した曲線ｂは改善後の特性をそれぞれ示している。突起９を設けることにより、同図に示すように、低周波数域の音圧レベルが減衰せず、特性が改善されることが分かる。
【００２０】
図６は、本発明の第３の実施形態に係るスピーカシステムの概略構成を示す図である。同図（ａ）は全体断面図、同図（ｂ）はＣ部拡大図となっている。本実施形態では、同図に示すように、スピーカエンクロージャ７のバッフル板７ａ前面で開口孔７ａａの外周縁部に、フレーム１に向かって前方に延びる突起１０を配した構成としている。なお、突起１０を複数設ける場合は、開口孔７ａａの中心から見て等角度間隔に配置されていることが望ましい。
【００２１】
このような突起１０がフレーム１外周縁部後面に当接することにより、フレーム１外周縁部がバッフル板７ａに対して若干浮き上がった状態となり、この部分にスピーカエンクロージャ７の内外を連通させる所定の通気路が形成される。これにより、振動板２が前後の駆動を行ってもスピーカエンクロージャ７内の圧力が上昇することが無くなるので、低域特性が劣化することが防止される。しかも、スピーカユニットＵのバッフル板７ａへの取り付けは、簡単且つ確実に行うことができる。
【００２２】
図７は、本実施形態のスピーカシステムの音圧周波数特性を示すグラフである。ここでは横軸に音声周波数（Ｈｚ）、縦軸に音圧レベル（ｄＢ）をそれぞれ取っている。同図において、実線で示した曲線ａは改善前の特性、破線で示した曲線ｂは改善後の特性をそれぞれ示している。突起１０を設けることにより、同図に示すように、低周波数域の音圧レベルが減衰せず、特性が改善されることが分かる。
【００２３】
図８は、本発明の第４の実施形態に係るスピーカシステムの概略構成を示す図である。同図（ａ）は全体断面図、同図（ｂ）はＤ部拡大図となっている。本実施形態では、同図に示すように、スピーカエンクロージャ７のバッフル板７ａ前面で開口孔７ａａの外周縁部に、フレーム１に向かって前方に延びる突起１１を配した構成としている。なお、突起１１を複数設ける場合は、開口孔７ａａの中心から見て等角度間隔に配置されていることが望ましい。
【００２４】
このような突起１１がフレーム１外周縁部後面に当接することにより、フレーム１外周縁部がバッフル板７ａに対して若干浮き上がった状態となり、この部分にスピーカエンクロージャ７の内外を連通させる所定の通気路が形成される。これにより、振動板２が前後の駆動を行ってもスピーカエンクロージャ７内の圧力が上昇することが無くなるので、低域特性が劣化することが防止される。しかも、スピーカユニットＵのバッフル板７ａへの取り付けは、簡単且つ確実に行うことができる。
【００２５】
図９は、突起１１の詳細な形状を示す図であり、同図（ａ）は平面断面図、同図（ｂ）は正面図である。同図に示すように、突起１１は開口孔７ａａの周方向に段差を有する階段状となっている。そして、相手方であるフレーム１には、図示しないスリットが設けてあり、スピーカユニットＵを中心周りに微少に回転させる毎に、突起１１の各段がそのスリットにはまり込む構造となっている。これにより、スピーカユニットＵとバッフル板７ａとの隙間の大きさを簡単且つ確実に調整することができるので、スピーカシステムの音響特性の調整も簡単に行うことができる。
【００２６】
図１０は、本実施形態のスピーカシステムの音圧周波数特性を示すグラフである。ここでは横軸に音声周波数（Ｈｚ）、縦軸に音圧レベル（ｄＢ）をそれぞれ取っている。同図において、実線で示した曲線ａは改善前の特性、破線で示した曲線ｂは改善後の特性をそれぞれ示している。突起１１を設けることにより、同図に示すように、低周波数域の音圧レベルが減衰せず、特性が改善されることが分かる。
【００２７】
なお、上述した各実施形態の具体的な構成には限定されるものではなく、フレームとバッフル板との間に容易に隙間を設けることができ、さらには隙間の大きさを簡便に調整することができる構成であれば良い。
【００２８】
【発明の効果】
以上説明したように、本発明によれば、簡単な構成で、従来よりも音圧周波数特性が改善され、しかも組立時の作業性も改善されるスピーカシステムを提供することができる。
【図面の簡単な説明】
【図１】第１の実施形態に係るスピーカシステムの概略構成を示す図。
【図２】本実施形態のスピーカシステムの音圧周波数特性を示すグラフ。
【図３】第２の実施形態に係るスピーカシステムの概略構成を示す図。
【図４】本実施形態における突起の詳細な形状を示す図。
【図５】本実施形態のスピーカシステムの音圧周波数特性を示すグラフ。
【図６】第３の実施形態に係るスピーカシステムの概略構成を示す図。
【図７】本実施形態のスピーカシステムの音圧周波数特性を示すグラフ。
【図８】第４の実施形態に係るスピーカシステムの概略構成を示す図。
【図９】本実施形態における突起の詳細な形状を示す図。
【図１０】本実施形態のスピーカシステムの音圧周波数特性を示すグラフ。
【図１１】従来のスピーカシステムの概略構成を示す断面図。
【図１２】従来のスピーカシステムの音圧周波数特性を示すグラフ。
【符号の説明】
１　　フレーム
２　　振動板
３　　エッジ
４　　ボイスコイル
５　　磁気回路部
６　　入力端子
７　　スピーカエンクロージャ
８〜１１　　突起
Ｇ　　磁気空隙
Ｕ　　スピーカユニット
【図１】
2004023377.tif 000003
【図２】
2004023377.tif 000004
【図３】
2004023377.tif 000005
【図４】
2004023377.tif 000006
【図５】
2004023377.tif 000007
【図６】
2004023377.tif 000008
【図７】
2004023377.tif 000009
【図８】
2004023377.tif 000010
【図９】
2004023377.tif 000011
【図１０】
2004023377.tif 000012
【図１１】
2004023377.tif 000013
【図１２】
2004023377.tif 000014